(57)【特許請求の範囲】
【請求項１】
複数の異なる周波数帯域ごとに対応し、かつ通過帯域が隣接する周波数帯域と重複する帯域を含む複数のバンドパスフィルタに受信信号を通過させることで前記受信信号を複数の周波数帯域ごとの分割帯域信号に分割する帯域分割部と、
前記分割帯域信号の各々の周波数を変換して変換周波数信号を出力する周波数変換部と、
前記複数のバンドパスフィルタのそれぞれに対して受信信号に代えて入力され、前記周波数変換部を含む回路から出力されるトレーニング信号に基づいて、前記複数の周波数帯域ごとに対応する回路の周波数特性を測定する特性測定部と、
前記複数の周波数帯域ごとに対応して測定された回路の周波数特性を利用して、前記複数の周波数帯域ごとに変換周波数信号を補正し、補正された変換周波数信号について、隣接する周波数帯域と重複する帯域成分を除去した後、それぞれの周波数帯域に従って前記バンドパスフィルタを通過後の分割帯域信号と同じ周波数関係となるように結合する帯域結合部と
を備え、
前記周波数変換部は、前記複数のバンドパスフィルタのそれぞれから出力された分割帯域信号ごとに対応して、複数のミキサと、該複数のミキサにそれぞれ互いに異なる周波数のローカル信号を出力する複数の局部発振器を備える受信装置。
【請求項２】
前記トレーニング信号を生成して前記複数のバンドパスフィルタの各々に入力させるトレーニング信号生成部をさらに備える
請求項１に記載の受信装置。
【請求項３】
前記特性測定部は、
前記複数のバンドパスフィルタのそれぞれに対して受信信号に代えて入力され、前記周波数変換部を含む回路から出力されるトレーニング信号に基づいて、前記複数の周波数帯域ごとの回路の周波数特性の少なくともいずれか１つを更新する
請求項１または２に記載の受信装置。
【請求項４】
前記特性測定部は、
前記複数のバンドパスフィルタのそれぞれに対して受信信号に代えて入力され、前記周波数変換部を含む回路から出力される受信信号に含まれる所定の既知情報の信号に基づいて、前記複数の周波数帯域ごとの回路の周波数特性の少なくともいずれか１つを更新する
請求項１または２に記載の受信装置。
【請求項５】
帯域分割部が、複数の異なる周波数帯域ごとに対応し、かつ通過帯域が隣接する周波数帯域と重複する帯域を含む複数のバンドパスフィルタに受信信号を通過させることで前記受信信号を複数の周波数帯域ごとの分割帯域信号に分割する帯域分割ステップと、
周波数変換部が、前記分割帯域信号の各々の周波数を変換して変換周波数信号を出力する周波数変換ステップと、
特性測定部が、前記複数のバンドパスフィルタのそれぞれに対して受信信号に代えて入力され、前記周波数変換部を含む回路から出力されるトレーニング信号に基づいて、前記複数の周波数帯域ごとに対応する回路の周波数特性を測定する特性測定ステップと、
帯域結合部が、前記複数の周波数帯域ごとに対応して測定された回路の周波数特性を利用して、前記複数の周波数帯域ごとに変換周波数信号を補正し、補正された変換周波数信号について、隣接する周波数帯域と重複する帯域成分を除去した後、それぞれの周波数帯域に従って前記バンドパスフィルタを通過後の分割帯域信号と同じ周波数関係となるように結合する帯域結合ステップと
を備え、
前記周波数変換ステップは、前記周波数変換部が備える複数のミキサのそれぞれが、前記複数のバンドパスフィルタのそれぞれから出力された分割帯域信号と、前記周波数変換部が備える複数の局部発振器のそれぞれから出力された互いに異なる周波数のローカル信号とを合成する受信信号処理方法。
【発明の詳細な説明】
【技術分野】
【０００１】
本発明は、受信装置及び受信信号処理方法に関する。
【背景技術】
【０００２】
携帯電話通信網や無線ＬＡＮ（Local Area Network）などの無線通信システムの普及に伴う周波数需要が増加している状況にある。しかし、周波数帯によっては周波数帯域が稠密に割り当てられていることから、新たな周波数帯域を確保することが難しい。そこで、割り当て済みの周波数帯を空間的あるいは時間的に使い分けることで、周波数の利用効率を向上させる技術が検討されている。
【０００３】
上記のような技術の実現にあたっては、例えば利用可能な周波数帯域を検知するためのセンシングが行われる。このようなセンシングを行う受信装置では、広帯域の電波を受信して得られる受信信号の帯域の分割（帯域分割）と分割された帯域ごとの信号の結合（帯域結合）の処理を伴う。
受信信号の帯域分割と帯域結合にあたっては分割された帯域ごとの信号の補正が行われ、補正には、無線システムにおいて規定されるプリアンブルなどの既知情報や、帯域分割時において重複する帯域の信号成分などが利用される（例えば、特許文献１、２参照）。
【先行技術文献】
【特許文献】
【０００４】
【特許文献１】特開２０１０−４５６７２号公報
【特許文献２】特開２０１２−１９１３７７号公報
【発明の概要】
【発明が解決しようとする課題】
【０００５】
上記のように、分割された帯域ごとの信号の補正に利用する既知情報や帯域分割時において重複する帯域の信号成分は受信信号の一部である。このために、例えば定常的に帯域分割と帯域結合を行っているような場合、受信信号が存在する有信号区間では正しい補正の動作が得られるのであるが、信号が受信されない無信号区間においては誤った補正が行われ、帯域結合された信号に歪みが生じる。
【０００６】
本発明は、このような事情に鑑みてなされたもので、受信信号の帯域分割と帯域結合を行うにあたり、無信号区間の存在にかかわらず正常な動作が得られるようにすることを目的とする。
【課題を解決するための手段】
【０００７】
本発明の一態様は、複数の異なる周波数帯域ごとに対応し、かつ通過帯域が隣接する周波数帯域と重複する帯域を含む複数のバンドパスフィルタに受信信号を通過させることで前記受信信号を複数の周波数帯域ごとの分割帯域信号に分割する帯域分割部と、前記分割帯域信号の各々の周波数を変換して変換周波数信号を出力する周波数変換部と、前記複数のバンドパスフィルタのそれぞれに対して受信信号に代えて入力され、前記周波数変換部を含む回路から出力されるトレーニング信号に基づいて、前記複数の周波数帯域ごとに対応する回路の周波数特性を測定する特性測定部と、前記複数の周波数帯域ごとに対応して測定された回路の周波数特性を利用して、前記複数の周波数帯域ごとに変換周波数信号を補正し、補正された変換周波数信号について、隣接する周波数帯域と重複する帯域成分を除去した後、それぞれの周波数帯域に従って前記バンドパスフィルタを通過後の分割帯域信号と同じ周波数関係となるように結合する帯域結合部とを備え、前記周波数変換部は、前記複数のバンドパスフィルタのそれぞれから出力された分割帯域信号ごとに対応して、複数のミキサと、該複数のミキサにそれぞれ互いに異なる周波数のローカル信号を出力する複数の局部発振器を備える受信装置である。
【０００８】
本発明の一態様は、上記の受信装置であって、前記トレーニング信号を生成して前記複数のバンドパスフィルタの各々に入力させるトレーニング信号生成部をさらに備える。
【０００９】
本発明の一態様は、上記の受信装置であって、前記特性測定部は、前記複数のバンドパスフィルタのそれぞれに対して受信信号に代えて入力され、前記周波数変換部を含む回路から出力されるトレーニング信号に基づいて、前記複数の周波数帯域ごとの回路の周波数特性の少なくともいずれか１つを更新する。
【００１０】
本発明の一態様は、上記の受信装置であって、前記特性測定部は、前記複数のバンドパスフィルタのそれぞれに対して受信信号に代えて入力され、前記周波数変換部を含む回路から出力される受信信号に含まれる所定の既知情報の信号に基づいて、前記複数の周波数帯域ごとの回路の周波数特性の少なくともいずれか１つを更新する。
【００１１】
本発明の一態様は、帯域分割部が、複数の異なる周波数帯域ごとに対応し、かつ通過帯域が隣接する周波数帯域と重複する帯域を含む複数のバンドパスフィルタに受信信号を通過させることで前記受信信号を複数の周波数帯域ごとの分割帯域信号に分割する帯域分割ステップと、周波数変換部が、前記分割帯域信号の各々の周波数を変換して変換周波数信号を出力する周波数変換ステップと、特性測定部が、前記複数のバンドパスフィルタのそれぞれに対して受信信号に代えて入力され、前記周波数変換部を含む回路から出力されるトレーニング信号に基づいて、前記複数の周波数帯域ごとに対応する回路の周波数特性を測定する特性測定ステップと、帯域結合部が、前記複数の周波数帯域ごとに対応して測定された回路の周波数特性を利用して、前記複数の周波数帯域ごとに変換周波数信号を補正し、補正された変換周波数信号について、隣接する周波数帯域と重複する帯域成分を除去した後、それぞれの周波数帯域に従って前記バンドパスフィルタを通過後の分割帯域信号と同じ周波数関係となるように結合する帯域結合ステップとを備え、前記周波数変換ステップは、前記周波数変換部が備える複数のミキサのそれぞれが、前記複数のバンドパスフィルタのそれぞれから出力された分割帯域信号と、前記周波数変換部が備える複数の局部発振器のそれぞれから出力された互いに異なる周波数のローカル信号とを合成する受信信号処理方法である。
【発明の効果】
【００１２】
以上説明したように、本発明によれば、受信信号の帯域分割と帯域結合を行うにあたり、無信号区間の存在にかかわらず正常な動作が得られるという効果が得られる。
【図面の簡単な説明】
【００１３】
【図１】本実施形態における受信装置の構成例を示す図である。
【図２】本実施形態の受信装置における帯域結合部の動作例を主に示す図である。
【図３】第１例としてのトレーニング信号を示す図である。
【図４】第２例としてのトレーニング信号を示す図である。
【図５】第３例としてのトレーニング信号を示す図である。
【図６】本実施形態における受信装置が実行する処理手順例を示すフローチャートである。
【発明を実施するための形態】
【００１４】
図１は、本実施形態における受信装置の構成例を示している。同図に示す受信装置は、例えば所定の広帯域において通信に利用可能な周波数帯域を検知するためのセンシングを行うものであり、同図においてはセンシングのための帯域分割と帯域結合を行う部位を示している。また、以降の説明にあたり、受信装置は、受信信号の全帯域を４つの帯域に分割する場合を例に挙げる。
【００１５】
図１に示す受信装置は、アンテナ１０１、帯域分割部１０２、周波数変換部１０３、ＡＤ変換器１０５−１〜１０５−４、トレーニング信号生成部１０６、特性測定部１０７及び帯域結合部１０８を備える。
【００１６】
アンテナ１０１にて受信された所定の広帯域の電波は、受信信号として帯域分割部１０２に入力される。
帯域分割部１０２は、複数の異なる周波数帯域（分割帯域）ごとに対応するバンドパスフィルタに受信信号を通過させることで前記受信信号を複数の帯域ごとの分割帯域信号に分割する。
同図においては、受信信号を４つの分割帯域に分割するのに対応して、４つのバンドパスフィルタ（ＢＰＦ）１１２−１〜１１２−４を備える。バンドパスフィルタ１１２−１〜１１２−４は、それぞれ、分割帯域ごとに対応して異なる周波数帯域を通過させる周波数特性を有している。
なお、以降の説明にあたり、バンドパスフィルタ１１２−１〜１１２−４について特に区別しない場合には、バンドパスフィルタ１１２と記載する。
【００１７】
アンテナ１０１から供給される受信信号は、バンドパスフィルタ１１２−１〜１１２−４のそれぞれに分岐して入力される。
バンドパスフィルタ１１２−１〜１１２−４のそれぞれに入力された受信信号は、バンドパスフィルタ１１２−１〜１１２−４からそれぞれ異なる周波数帯域の信号（分割帯域信号）として出力される。
バンドパスフィルタ１１２−１〜１１２−４のそれぞれから出力された分割帯域信号は、周波数変換部１０３に入力される。
【００１８】
周波数変換部１０３は、分割帯域信号の各々の周波数を変換して変換周波数信号を出力する。このために、周波数変換部１０３は、バンドパスフィルタ１１２−１〜１１２−４から出力された４つの分割帯域信号ごとに対応して、４つのミキサ１１３−１〜１１３−４と、それぞれ異なる周波数によるローカル信号Ｓ１〜Ｓ４を出力する局部発振器１１４−１〜１１４−４を備える。
ミキサ１１３−１は、バンドパスフィルタ１１２−１から出力された分割帯域信号と、局部発振器１１４−１から出力される所定周波数のローカル信号Ｓ１とを合成することによって、分割帯域信号の周波数を、例えばローカル信号Ｓ１の周波数に応じた低い方向（あるいは高い方向）にシフトするように変換する。このように周波数が変換された分割帯域信号が変換周波数信号である。
同様に、残るミキサ１１３−２〜１１３−４は、それぞれ、バンドパスフィルタ１１２−２〜１１２−４から出力された分割帯域信号と、局部発振器１１４−２〜１１４−４から出力される所定周波数のローカル信号Ｓ２〜Ｓ４とを合成することによって、例えばローカル信号Ｓ２〜Ｓ４の周波数に応じて低い方向にシフトされた変換周波数信号を出力する。
なお、以降の説明にあたり、ミキサ１１３−１〜１１３−４について特に区別しない場合には、ミキサ１１３と記載する。
【００１９】
ミキサ１１３−１〜１１３−４から出力された変換周波数信号は、それぞれ、ローパスフィルタ（ＬＰＦ）１０４−１〜１０４−４に入力される。
ローパスフィルタ１０４−１〜１０４−４は、入力した変換周波数信号における不要な帯域成分を除去する。
なお、以降の説明にあたり、ローパスフィルタ１０４−１〜１０４−４について特に区別しない場合には、ローパスフィルタ１０４と記載する。
【００２０】
ＡＤ変換器１０５−１〜１０５−４は、それぞれ、ローパスフィルタ１０４−１〜１０４−４を通過して不要な帯域成分が除去されたアナログの変換周波数信号をデジタルに変換する。
なお、以降の説明にあたり、ＡＤ変換器１０５−１〜１０５−４について特に区別しない場合には、ＡＤ変換器１０５と記載する。
【００２１】
トレーニング信号生成部１０６は、トレーニング信号を生成してバンドパスフィルタ１１２−１〜１１２−４の各々に入力させる。
トレーニング信号は、受信信号に代えてバンドパスフィルタ１１２−１〜１１２−４のそれぞれに対して入力され、ミキサ１１３−１〜１１３−４（周波数変換部１０３）としての回路部を含む回路から出力される信号である。トレーニング信号は、特性測定部１０７が分割帯域ごとに対応する回路の周波数特性（回路周波数特性）を測定する際に、バンドパスフィルタ１１２−１〜１１２−４に入力される。
【００２２】
また、図１では、バンドパスフィルタ１１２−１〜１１２−４に入力されたトレーニング信号が出力される回路として、ミキサ１１３−１〜１１３−４に加えてローパスフィルタ１０４−１〜１０４−４を含めた例を示している。この場合には、分割帯域ごとに対応してバンドパスフィルタ１１２、ミキサ１１３、ローパスフィルタ１０４による回路の周波数特性が特性測定部１０７により測定されることになる。
また、バンドパスフィルタ１１２−１〜１１２−４に入力されたトレーニング信号が出力される回路としては、さらに、ミキサ１１３−１〜１１３−４、ローパスフィルタ１０４−１〜１０４−４に加えて、ＡＤ変換器１０５−１〜１０５−４を含めてもよい。この場合には、バンドパスフィルタ１１２、ミキサ１１３、ローパスフィルタ１０４、ＡＤ変換器１０５による回路の周波数特性が特性測定部１０７により測定される。
【００２３】
特性測定部１０７は、トレーニング信号が出力される回路から出力されるトレーニング信号に基づいて、分割帯域ごとの回路周波数特性を測定する。
具体的に、図１との対応では、特性測定部１０７は、ローパスフィルタ１０４−１から出力されるトレーニング信号に基づいて、バンドパスフィルタ１１２−１、ミキサ１１３−１、ローパスフィルタ１０４−１による回路の周波数特性を測定する。
また、特性測定部１０７は、ローパスフィルタ１０４−２から出力されるトレーニング信号に基づいて、バンドパスフィルタ１１２−２、ミキサ１１３−２、ローパスフィルタ１０４−２による回路の周波数特性を測定する。
また、特性測定部１０７は、ローパスフィルタ１０４−３から出力されるトレーニング信号に基づいて、バンドパスフィルタ１１２−３、ミキサ１１３−３、ローパスフィルタ１０４−３による回路の周波数特性を測定する。
また、特性測定部１０７は、ローパスフィルタ１０４−４から出力されるトレーニング信号に基づいて、バンドパスフィルタ１１２−４、ミキサ１１３−４、ローパスフィルタ１０４−４による回路の周波数特性を測定する。
【００２４】
帯域結合部１０８は、特性測定部１０７が測定した分割帯域ごとの回路周波数特性を利用して分割帯域ごとに変換周波数信号を補正し、補正された変換周波数信号をそれぞれの周波数帯域に従って結合する。
【００２５】
図２は、図１に示した受信装置における帯域結合部１０８の動作例を主に示している。
同図に示すように、アンテナ１０１にて受信された受信信号は、例えば周波数帯域Ｆ１、Ｆ２、Ｆ３、Ｆ４の４つの帯域を含む。これに対応して、帯域分割部１０２は、受信信号を周波数帯域Ｆ１、Ｆ２、Ｆ３、Ｆ４における各分割帯域信号に分割する。ここでは、周波数帯域Ｆ１、Ｆ２、Ｆ３、Ｆ４が、それぞれ、バンドパスフィルタ１１２−１、１１２−２、１１２−３、１１２−４の通過帯域に対応する。
なお、同図における各ボード線図において横軸ｆは周波数を示し、縦軸ｐは電力を示す。
【００２６】
帯域結合部１０８は、周波数帯域Ｆ１、Ｆ２、Ｆ３、Ｆ４における分割帯域信号のそれぞれの周波数を周波数変換部１０３により変換した周波数帯域Ｆ１ｓ、Ｆ２ｓ、Ｆ３ｓ、Ｆ４ｓにおける変換周波数信号を入力して補正を行う。これにより、帯域結合部１０８は、周波数帯域Ｆ１ｓ、Ｆ２ｓ、Ｆ３ｓ、Ｆ４ｓにおける補正信号を得る。
【００２７】
帯域結合部１０８は、上記の補正の際に、周波数帯域Ｆ１ｓ、Ｆ２ｓ、Ｆ３ｓ、Ｆ４ｓごとに対応して特性測定部１０７が測定した回路周波数特性を利用する。
ここで、周波数帯域Ｆ１ｓに対応する回路周波数特性は、バンドパスフィルタ１１２−１、ミキサ１１３−１、ローパスフィルタ１０４−１による回路の周波数特性である。
周波数帯域Ｆ２ｓに対応する回路周波数特性は、バンドパスフィルタ１１２−２、ミキサ１１３−２、ローパスフィルタ１０４−２による回路の周波数特性である。
周波数帯域Ｆ３ｓに対応する回路周波数特性は、バンドパスフィルタ１１２−３、ミキサ１１３−３、ローパスフィルタ１０４−３による回路の周波数特性である。
周波数帯域Ｆ４ｓに対応する回路周波数特性は、バンドパスフィルタ１１２−４、ミキサ１１３−４、ローパスフィルタ１０４−４による回路の周波数特性である。
【００２８】
つまり、帯域結合部１０８は、ローパスフィルタ１０４−１から出力された変換周波数信号について、周波数帯域Ｆ１ｓに対応する回路周波数特性を利用して補正する。
また、帯域結合部１０８は、ローパスフィルタ１０４−２から出力された変換周波数信号について、周波数帯域Ｆ２ｓに対応する回路周波数特性を利用して補正する。
また、帯域結合部１０８は、ローパスフィルタ１０４−３から出力された変換周波数信号について、周波数帯域Ｆ３ｓに対応する回路周波数特性を利用して補正する。
また、帯域結合部１０８は、ローパスフィルタ１０４−４から出力された変換周波数信号について、周波数帯域Ｆ４ｓに対応する回路周波数特性を利用して補正する。
【００２９】
次に、帯域結合部１０８は、周波数帯域Ｆ１ｓ、Ｆ２ｓ、Ｆ３ｓ、Ｆ４ｓにおける補正信号ごとに結合対象信号の抽出を行う。結合対象信号の抽出は、例えば同図に示すように、周波数帯域Ｆ１ｓ、Ｆ２ｓ、Ｆ３ｓ、Ｆ４ｓの補正信号について、隣接する周波数帯域と重複(干渉)する帯域成分を除去するようにして行うことができる。
【００３０】
次に、帯域結合部１０８は、上記のように抽出した周波数帯域Ｆ１ｓ、Ｆ２ｓ、Ｆ３ｓ、Ｆ４ｓにおける結合対象信号をそれぞれの周波数帯域に従って結合し、同図に示すように、結合信号を生成する。
【００３１】
ここで、帯域結合部１０８が分割帯域ごとの変換周波数信号を補正するにあたって利用する分割帯域ごとの回路周波数特性は、以下のような動作によって測定される。
つまり、トレーニング信号生成部１０６は、受信信号の帯域分割、帯域結合を行うのに先立って、事前にトレーニング信号を生成して、周波数帯域Ｆ１、Ｆ２、Ｆ３、Ｆ４ごとに対応する回路（バンドパスフィルタ１１２、ミキサ１１３、ローパスフィルタ１０４）に通過させる。
そして、特性測定部１０７は、周波数帯域Ｆ１、Ｆ２、Ｆ３、Ｆ４ごとに対応するローパスフィルタ１０４−１〜１０４−４から出力された回路通過後のトレーニング信号と、トレーニング信号生成部１０６から出力された回路通過前のトレーニング信号とを入力する。
【００３２】
ここで、回路通過後のトレーニング信号は、回路通過前のトレーニング信号に対して回路（バンドパスフィルタ１１２、ミキサ１１３、ローパスフィルタ１０４）の周波数特性が付与されるように変化している。
そこで、特性測定部１０７は、回路通過前のトレーニング信号と、周波数帯域Ｆ１、Ｆ２、Ｆ３、Ｆ４ごとに対応する回路通過後のトレーニング信号との相違に基づいて、周波数帯域Ｆ１、Ｆ２、Ｆ３、Ｆ４ごとに対応する回路周波数特性を測定する。
特性測定部１０７は、測定した周波数帯域Ｆ１、Ｆ２、Ｆ３、Ｆ４ごとに対応する回路周波数特性を帯域結合部１０８に出力する。
【００３３】
帯域結合部１０８は、特性測定部１０７から入力した周波数帯域Ｆ１、Ｆ２、Ｆ３、Ｆ４ごとに対応する回路周波数特性を記憶する。
そして、この後においては、受信装置１００において、アンテナ１０１にて受信した受信信号の帯域分割と帯域結合の処理が実行される。この際、帯域結合部１０８は、周波数帯域Ｆ１、Ｆ２、Ｆ３、Ｆ４ごとに対応する回路周波数特性を利用して、周波数帯域Ｆ１、Ｆ２、Ｆ３、Ｆ４に対応する各分割帯域信号を補正する。
【００３４】
このように、本実施形態では、帯域結合部１０８が変換周波数信号の補正に利用する回路周波数特性について、トレーニング信号生成部１０６が生成したトレーニング信号を利用して測定している。つまり、本実施形態では、受信信号が含む既知信号(プリアンブルなど)や帯域分割に際して隣接する分割帯域間で重複する帯域の信号成分などを利用することなく、信頼性の高い回路周波数特性を得ることができる。
すなわち、本実施形態における回路周波数特性の補正は受信信号に含まれる情報や信号部分などを利用する必要がない。これにより、本実施形態の帯域結合部１０８は、無信号区間であっても正しい動作によって補正を行うことができる。この結果、例えば補正信号を結合した結合信号において分割帯域の継ぎ目が不連続となるような状態の歪みが抑制される。
【００３５】
そのうえで、本実施形態においては、トレーニング信号生成部１０６を備えることで、受信装置１００の外部からトレーニング信号を入力しなくとも、受信装置１００内部で完結して回路周波数特性を測定することができる。
【００３６】
ここで、トレーニング信号は、できるだけ良好な回路周波数特性の測定結果が得られるようなものであることが好ましい。そこで、トレーニング信号として３例を挙げる。
第１例としてのトレーニング信号は、インパルス信号である。図３に示すように、インパルス信号は帯域が無限の信号である。
また、第２例としてのトレーニング信号は、図４に示すように、周波数帯域Ｆ１〜Ｆ４における受信信号の周波数帯域を含む広周波数帯域の信号である。
また、第３例としてのトレーニング信号は、図５に示すように、受信信号を帯域分割する際に重複する周波数ｆ１、ｆ２、ｆ３における連続波（ＣＷ：Continuous Wave）である。
【００３７】
図６のフローチャートは、本実施形態における受信装置が実行する処理手順の一例を示している。
ステップＳ１０１において受信装置１００の電源がオンとなるのに応じて(ステップＳ１０１)、トレーニング信号生成部１０６は、トレーニング信号を生成し、生成したトレーニング信号を帯域分割部１０２におけるバンドパスフィルタ１１２−１〜１１２−４に出力する(ステップＳ１０２)。
【００３８】
次に、特性測定部１０７は、ローパスフィルタ１０４−１〜１０４−４のそれぞれから出力される異なる分割帯域ごとのトレーニング信号と、トレーニング信号生成部１０６が生成したトレーニング信号とを利用して、分割帯域ごとの回路周波数特性を測定する(ステップＳ１０３)。
特性測定部１０７は、ステップＳ１０３により測定された分割帯域ごとの回路周波数特性を記憶する(ステップＳ１０４)。
【００３９】
次に、帯域分割部１０２は、受信信号の入力を開始する(ステップＳ１０５)。これにより、以降の受信装置１００においては、受信信号の帯域分割と帯域結合が継続的に実行される。
【００４０】
そして、帯域結合部１０８は、受信信号に対応して帯域結合の処理を実行するにあたり、ＡＤ変換器１０５−１〜１０５−４のそれぞれから出力される分割帯域ごとの変換周波数信号を補正する(ステップＳ１０６)。ステップＳ１０６により、分割帯域ごとの補正信号が得られる。
帯域結合部１０８は、分割帯域ごとの補正信号から、図２にて説明したように、例えば隣接する他の分割帯域と干渉する帯域成分を除去するように結合対象信号を抽出する(ステップＳ１０７)。
帯域結合部１０８は、ステップＳ１０７により抽出した結合対象信号を周波数帯域に従って結合して結合信号を生成する(ステップＳ１０８)。
【００４１】
ここで、前述のように、本実施形態の受信装置では、ステップＳ１０２、Ｓ１０３により、受信信号を処理する前の段階において、トレーニング信号を利用して回路周波数特性を予め測定しておく。そのうえで、ステップＳ１０６の補正にあっては、測定された回路周波数特性を利用する。これにより、本実施形態では、前述のように、受信信号が得られている区間だけではなく、受信信号が得られていない無信号区間において継続的に帯域分割と帯域結合の処理を実行させていても、正しい補正動作が得られる。
【００４２】
また、受信装置１００においては、回路周波数特性に温度変化や経年変化などの変化が生じるため、所定のタイミングで分割帯域ごとの回路周波数特性を更新する場合がある。
この場合において、特性測定部１０７は、バンドパスフィルタ１１２−１〜１１２−４のそれぞれに対して受信信号に代えて入力され、周波数変換部１０３を含む回路から出力されるトレーニング信号に基づいて、分割帯域ごとの回路周波数特性の少なくともいずれか１つを更新してよい。更新タイミングは、回路周波数特性の変化速度に応じて変化量が誤差範囲を超えない期間で周期的に設定する場合、定期的に検出される無信号区間に設定する場合、受信信号の復調誤り率の増加に応じて更新する場合などがある。
つまり、この場合におけるトレーニング信号生成部１０６は、回路周波数特性の更新タイミングとなるのに応じて、更新対象の分割帯域に対応するバンドパスフィルタ１１２にトレーニング信号を入力させる。特性測定部１０７は、更新対象の分割帯域に対応するローパスフィルタ１０４から出力されたトレーニング信号を利用して回路周波数特性を測定する。特性測定部１０７は、帯域結合部１０８が同じ分割帯域に対応して記憶する回路周波数特性を測定した回路周波数特性により書き換える。このように特性測定部１０７は、回路周波数特性を更新する。
【００４３】
また、特性測定部１０７は、受信信号に含まれるプリアンブルなどの所定の既知情報の信号に基づいて回路周波数特性を更新してもよい。
この場合、特性測定部１０７は、予め保持している受信信号の既知情報の理想的な信号と、周波数帯域Ｆ１、Ｆ２、Ｆ３、Ｆ４ごとに対応する回路通過後の受信信号の既知情報の信号部分との相違に基づいて、分割帯域の継ぎ目の不連続性などから回路周波数特性を振幅や位相の変化量を推定する。推定した変化量に基づいて、帯域結合部１０８が同じ分割帯域に対応して記憶する回路周波数特性を、変化量を反映させた回路周波数特性により書き換える。このように、受信信号に含まれる既知情報を利用しても回路周波数特性の更新が可能である。
【００４４】
以上、実施形態について図面を参照して説明したが、具体的な構成はこれまでに説明した実施形態に限られるものではなく、本発明の要旨を逸脱しない範囲の設計等も含まれる。
【符号の説明】
【００４５】
１００…受信装置，  １０１…アンテナ，  １０２…帯域分割部，  １０３…周波数変換部，  １０４…ローパスフィルタ，  １０５…ＡＤ変換器，  １０６…トレーニング信号生成部，  １０７…特性測定部，  １０８…帯域結合部，  １１２（１１２−１〜１１２−４）…バンドパスフィルタ，  １１３（１１３−１〜１１３−４）…ミキサ，１１４（１１４−１〜１１４−４）…局部発振器
【要約】
【課題】受信信号の帯域分割と帯域結合を行うにあたり、無信号区間の存在にかかわらず正常な動作が得られるようにする。
【解決手段】複数の異なる周波数帯域ごとに対応するバンドパスフィルタに受信信号を通過させることで、受信信号を複数の周波数帯域ごとの分割帯域信号に分割し、分割帯域信号の各々の周波数を変換して変換周波数信号を出力し、バンドパスフィルタのそれぞれに対して受信信号に代えて入力され、周波数の変換に対応する回路部を含む回路から出力されるトレーニング信号に基づいて、複数の周波数帯域ごとに対応する回路の周波数特性を測定し、複数の周波数帯域ごとに対応して測定された回路の周波数特性を利用して、複数の周波数帯域ごとに変換周波数信号を補正し、補正された変換周波数信号をそれぞれの周波数帯域に従って結合する。
【選択図】図１【図１】
0005635649.tif 000002
【図２】
0005635649.tif 000003
【図３】
0005635649.tif 000004
【図４】
0005635649.tif 000005
【図５】
0005635649.tif 000006
【図６】
0005635649.tif 000007